(57)【要約】【課題】貯水部の水及びフィルタ部の抗菌を十分にできる加湿装置を提供する。【解決手段】加湿フィルタ２０の周縁部には、周縁から中心側に向けて切り欠かれた凹部２０ａが設けられている。凹部２０ａには、抗菌ケース２２が着脱自在に嵌め込まれる。抗菌ケース２２の容器には、容積に対して十分にペレット状の抗菌剤が収容されている。容器２２ａの周面には複数のスリットが設けられ、スリットからは、水の流出入が可能である。抗菌ケース２２は、加湿フィルタ２０の回転に伴って、間欠的に水受け皿の貯留水内を移動する。【選択図】図４
2017058039.tif 000002
【特許請求の範囲】
【請求項１】
水を貯留する貯水部と、
吸水性及び通気性を有し、円盤状をなしており、周方向の回転により前記貯水部の水に周縁部が連続的に浸漬するフィルタ部と、
水が流出入するように前記フィルタ部の前記周縁部に設けられており、抗菌剤を収容する抗菌剤収容部と
を備えることを特徴とする加湿装置。
【請求項２】
前記フィルタ部は、
吸水性及び通気性を有し、円盤状をなすフィルタ本体と、
該フィルタ本体を保持する保持枠と
を有し、
前記保持枠は、
前記フィルタ本体の周縁部の一部を被覆する被覆部を有し、
前記抗菌剤収容部は、前記被覆部に配されている
ことを特徴とする請求項１に記載の加湿装置。
【請求項３】
前記フィルタ部は、吸水性及び通気性を有し、円盤状をなすフィルタ本体を有し、
前記抗菌剤収容部は、環状又は弧状をなし、前記フィルタ本体に外嵌されている
ことを特徴とする請求項１に記載の加湿装置。
【請求項４】
前記フィルタ部は、吸水性及び通気性を有し、円盤状をなすフィルタ本体を有し、
前記抗菌剤収容部は、環状又は弧状をなし、前記フィルタ本体に軸方向に重なっている
ことを特徴とする請求項１に記載の加湿装置。
【請求項５】
前記抗菌剤収容部は、周方向に複数の部屋に区切られており、
該部屋ごとに水が流出入する
ことを特徴とする請求項３又は請求項４に記載の加湿装置。
【発明の詳細な説明】
【技術分野】
【０００１】
本発明は、円盤状のフィルタ部を備える気化方式の加湿装置に関する。
【背景技術】
【０００２】
気化方式の加湿装置は、吸水性及び通気性を有するフィルタ部を備える。フィルタ部は、吸水性及び通気性を有するフィルタ本体を備える。加湿装置は吸水したフィルタ本体に対して装置外部、例えば加湿装置が設置されている室内の空気を送風することによって、フィルタ本体に吸収されていた水を蒸散させ、蒸散した水を含む空気を装置外部に送風することにより加湿を行う。
【０００３】
加湿装置は、フィルタ本体の全体で効率よく吸水するために、円盤状のフィルタ本体を回転させる場合がある。この場合、フィルタ部は、同様に円盤状とし、周縁部の一部が水を貯留する貯水部にて浸水するように縦姿勢に配された状態で、周方向へ回転可能に構成されている（例えば、特許文献１参照）。周方向へ回転することによってフィルタ本体の周縁部は連続的に浸水し、また、浸水している部分から浸水していない部分へ水を吸い上げるため、フィルタ本体の全体に水が行きわたる。したがって、フィルタ本体は全体で効率よく吸水する。その後、フィルタ部へ送風機で送風することによって、フィルタ本体を通過した空気が吸湿し、吸湿した空気が装置外部へ送風される。
【０００４】
ここで、時間の経過と共に、貯水部内に貯留された水及びフィルタ部には、細菌又はカビ等が増殖してしまう。したがって、細菌又はカビ等の増殖の対策として、貯水部に除菌装置を設置した加湿装置（例えば、特許文献２参照）、又は貯水部に給水する給水タンクの給水栓に抗菌剤を設置した加湿装置（例えば、特許文献３参照）等が提案されている。
【先行技術文献】
【特許文献】
【０００５】
【特許文献１】特許第４３２４６２５号公報
【特許文献２】特許第４７４９３６４号公報
【特許文献３】特開第２０１４−３１９６８号公報
【発明の概要】
【発明が解決しようとする課題】
【０００６】
しかしながら、貯水部内に除菌装置を設置した場合、水の流れが少ないため、除菌装置による抗菌剤の抗菌効果を十分に発揮できない。また、給水タンク内に抗菌剤を設置した場合、貯水部内の水に抗菌剤が直接には接触しないので、同様に抗菌効果を十分に発揮できない。更に、いずれの場合も、フィルタ部における抗菌は十分でない。
【０００７】
本発明は、斯かる事情に鑑みてなされたものであり、その目的とするところは、貯水部の水及びフィルタ部の抗菌を十分にできる加湿装置を提供することにある。
【課題を解決するための手段】
【０００８】
本発明に係る加湿装置は、水を貯留する貯水部と、吸水性及び通気性を有し、円盤状をなしており、周方向の回転により前記貯水部の水に周縁部が連続的に浸漬するフィルタ部と、水が流出入するように前記フィルタ部の前記周縁部に設けられており、抗菌剤を収容する抗菌剤収容部とを備えることを特徴とする。
【０００９】
本発明に係る加湿装置は、前記フィルタ部は、吸水性及び通気性を有し、円盤状をなすフィルタ本体と、該フィルタ本体を保持する保持枠とを有し、前記保持枠は、前記フィルタ本体の周縁部の一部を被覆する被覆部を有し、前記抗菌剤収容部は、前記被覆部に配されていることを特徴とする。
【００１０】
本発明に係る加湿装置は、前記フィルタ部は、吸水性及び通気性を有し、円盤状をなすフィルタ本体を有し、前記抗菌剤収容部は、環状又は弧状をなし、前記フィルタ本体に外嵌されていることを特徴とする。
【００１１】
本発明に係る加湿装置は、前記フィルタ部は、吸水性及び通気性を有し、円盤状をなすフィルタ本体を有し、前記抗菌剤収容部は、環状又は弧状をなし、前記フィルタ本体に軸方向に重なっていることを特徴とする。
【００１２】
本発明に係る加湿装置は、前記抗菌剤収容部は、周方向に複数の部屋に区切られており、該部屋ごとに水が流出入することを特徴とする。
【発明の効果】
【００１３】
本発明によれば、抗菌剤収容部により、貯水部の水及びフィルタ部の抗菌を十分にできる。
【図面の簡単な説明】
【００１４】
【図１】実施の形態１に係る加湿装置の外観を示す斜視図である。
【図２】加湿装置の概略構成を示す側断面図である。
【図３】加湿フィルタユニットの斜視図である。
【図４】加湿フィルタユニットの分解斜視図である。
【図５】抗菌ケースの斜視図である。
【図６】加湿フィルタユニットを支持する支持構造を示す一部破断正面図である。
【図７】変形例１に係る加湿フィルタの斜視図である。
【図８】変形例２に係る加湿フィルタユニットの分解斜視図である。
【図９】変形例３に係る加湿フィルタユニットの斜視図である。
【図１０】実施の形態２に係る加湿フィルタユニットの平面図である。
【図１１】実施の形態２に係る加湿フィルタユニットの分解斜視図である。
【図１２】抗菌ケースの内部構造を略示する断面図である。
【図１３】部屋における水の流出入の説明図である。
【図１４】実施の形態３に係る加湿フィルタユニットの断面図である。
【発明を実施するための形態】
【００１５】
以下、本発明をその実施の形態を示す図面に基づいて詳述する。
（実施の形態１）
図１は、実施の形態１に係る加湿装置の外観を示す斜視図であり、図２は、加湿装置の概略構成を示す側断面図である。図１は、加湿装置を背面から見た斜視図である。加湿装置１は、矩形箱形のハウジング１と、加湿フィルタユニット２と、操作部３と、水受け皿４と、伝動機構５と、送風ファン６とを備える。
【００１６】
ハウジング１の背面には、着脱可能に背面パネル１４が装着されている。背面パネル１４は、ハウジング１との間に、脱臭フィルタ１７及び集塵フィルタ１８を重ねて挟むように装着されている。脱臭フィルタ１７は、例えば、不織布に活性炭を分散保持させ、脱臭フィルタ１７を通過する空気中の臭い成分を吸着し、除去する。集塵フィルタ１８は、例えば、公知のＨＥＰＡ（High Efficiency Particulate Air ）フィルタであり、集塵フィルタ１８を通過する空気中に含まれる微細な塵埃を捕集、除去する。
【００１７】
図１に示すように、操作部３は、ハウジング１の天面に設けられている。加湿装置は、使用者が操作部３を操作することにより、起動及び停止等の動作を行う。
【００１８】
図２に示すように、ハウジング１の内部は、隔壁１１によって、背面側の吸込室１２及び正面側の吐出室１３に分割されている。吸込室１２は、背面パネル１４に開設された多数の吸入口１５，１５，・・・を介して加湿装置外部に連通している。吐出室１３は、ハウジング１の天板に開設された吐出口１６を介して加湿装置外部に連通している。隔壁１１には、加湿装置の設置面側に開口１１ａが設けられている。
【００１９】
送風ファン６は、羽根車６０と、羽根車６０を駆動する電動のファンモータ６１とを備えている。ファンモータ６１は、吐出室１３の外部に固定されている。羽根車６０は、吐出室１３内に突出するファンモータ６１の出力端に固定され、隔壁１１の開口１１ａに対向配置してある。羽根車６０は、ファンモータ６１の駆動によって回転する。
【００２０】
羽根車６０が回転した場合、図２中に白抜き矢印にて示すように、背面パネル１４の吸入口１５，１５，・・・を経て吸込室１２の内部に空気が導入され、吸込室１２の内部を正面側に流れて開口１１ａを経て羽根車６０に吸い込まれ、天板側に方向を変えて吐出室１３の内部に導出され、吐出口１６を経て加湿装置外部へ送り出される。即ち、吸入口１５，１５，・・・、吸込室１２、開口１１ａ、吐出室１３、及び吐出口１６は、加湿装置の送風路を形成している。
【００２１】
図１及び図２に示すように、送風路の上流側には、脱臭フィルタ１７及び集塵フィルタ１８が位置している。このため、吸入口１５，１５，・・・を経て吸入室１２に導入される空気は、脱臭フィルタ１７の通過によって臭い成分を除去され、集塵フィルタ１８の通過によって塵埃を除去された清浄な空気となる。
加湿フィルタユニット２及び水受け皿４は、脱臭フィルタ１７及び集塵フィルタ１８によって浄化された直後の空気を加湿すべく、集塵フィルタ１８及び送風ファン６との間に配置してある。
【００２２】
水受け皿４は、ハウジング１の底板内面に載置され、吸込室１２の内部にて、集塵フィルタ１８よりも吐出室１３側に配してある。水受け皿４は、水受け皿４の上側にて、後述するように支持される加湿フィルタユニット２と共に、図１に示すように、ハウジング１の一側部から装置外部に引き出すことが可能である。水受け皿４の引き出し側端部には、広幅のタンク受け４０が連設してあり、タンク受け４０には、給水タンク４１が着脱される。
【００２３】
給水タンク４１は、長手方向一端部に給水栓４２を有する直方体状の容器であり、給水栓４２の側を下向きとした倒立姿勢でタンク受け４０に装着される。給水タンク４１は、タンク受け４０への装着時に、給水タンク４１内の収容水を水受け皿４に送出し、水受け皿４の内部に一定水位Ｌの水を貯留する。
【００２４】
図３は、加湿フィルタユニット２の斜視図であり、図４は、加湿フィルタユニット２の分解斜視図である。加湿フィルタユニット２は、円盤状をなす加湿フィルタ２０と、該加湿フィルタ２０を、保持する円盤状の保持枠２１と、加湿フィルタ２０に装着された抗菌ケース２２とを備える。加湿フィルタ２０は、吸水性及び通気性を有する材料、例えば不織布性のシートであり、蛇腹状に折り重ねられている。このため、まったく折り重ねられていないシートに比べて、加湿フィルタ２０と、加湿フィルタ２０を通過する空気との接触面積は大きい。加湿フィルタ２０の周縁部には、周縁から中心側に向けて切り欠かれた凹部２０ａが設けられている。凹部２０ａには、抗菌ケース２２が着脱自在に嵌め込まれている。
【００２５】
保持枠２１は、加湿フィルタ２０を収容する収容部２３と、該収容部２３に嵌着され、加湿フィルタ２０を押える押え部２４とを有する。収容部２３は、環状をなす第１平板部２３ａと該第１平板部２３ａの一面の外周縁部から全周に亘って、該一面に対して垂直に突出する側壁部２３ｂを有する。
【００２６】
第１平板部２３ａの内側の中心部には、第１平板部２３ａより小径の環状をなす第２平板部２３ｆが配されている。また、第１平板部２３ａ及び第２平板部２３ｆ間において、第２平板部２３ｆの外周縁から等間隔に突出し、第２平板部２３ｆの外周縁及び第１平板部２３ａの内周縁を接続する棒状の複数の接続フレーム２３ｅ，２３ｅ，・・・（図では６本）が設けられている。第１平板部２３ａの内周縁の一部には、隣り合う接続フレーム２３ｅの間に、第２平板部２３ｆに向けて突出する突出板２３ｃが設けられている。第１平板部２３ａは、第２平板部２３ｆ、接続フレーム２３ｅ及び突出板２３ｃ以外の部分は開口しており、該開口からはフィルタ２０の一面が露出する。側壁部２３ｂの外周面には、幅方向の中央部に全周に亘って歯が形成された適宜幅のリングギア部２３ｄが設けられている。
【００２７】
また、押え部２４は、環状をなす第１平板部２４ｄを有する。第１平板部２４ｄの内側の中心部には、第１平板部２４ｄより小径の環状をなす第２平板部２４ｅが配されている。また、第１平板部２４ｄ及び第２平板部２４ｅ間において、第２平板部２４ｅの外周縁から等間隔に突出し、第２平板部２４ｅの外周縁及び第１平板部２４ｄの内周縁を接続する棒状の複数の接続フレーム２４ｂ，２４ｂ，・・・（図では６本）が設けられている。第１平板部２４ｄの内周縁の一部には、隣り合う接続フレーム２４ｂの間に、第２平板部２４ｅに向けて突出する突出板２４ａが設けられている。第１平板部２４ｄは、第２平板部２４ｅ、接続フレーム２４ｂ及び突出板２４ａ以外の部分は開口しており、図３に示すように、該開口からはフィルタ２０の他面が露出する。
収容部２３及び押え部２４は、加湿フィルタ２０を挟み、加湿フィルタ２０の凹部２０ａに対して突出板２３ｃ及び突出板２４ａが対向するように嵌着される。
【００２８】
図５は、抗菌ケース２２の斜視図である。抗菌ケース２２は、有底円筒状の容器２２ａと、該容器２２ａを開閉する蓋部２２ｂとを有する。容器２２ａには、容積に対して十分にペレット状の抗菌剤２２ｃが収容されている。容器２２ａの周面には複数のスリット２２ｄ，２２ｄ，・・・が設けられている。スリット２２ｄからは、水の流出入が可能である一方で、抗菌剤２２ｃは出入できない。抗菌剤２２ｃとしては、水により抗菌成分が流れ出す抗菌剤が使用され、例えば、銀イオン系抗菌剤が用いられる。
【００２９】
抗菌ケース２２は、加湿フィルタ２０の凹部２０ａに嵌め込まれ、加湿フィルタ２０により挟持されている。また、突出板２４ｃ及び突出板２４ａにより、挟持されている。容器２２ａは、複数のスリット２２ｄ，２２ｄ，・・・を設けることにより、バネ性を有することとなり、加湿フィルタ２０による挟持により抗菌剤２２ｃに圧力がかかる。これにより、抗菌剤２２ｃ同士の衝突又は摩擦による摩耗を防ぐことができる。ここで容器２２ａを薄肉に形成するか、又はベローズ状に形成することによっても、抗菌剤２２ｃに圧力をかけることができる。
【００３０】
なお、容器２２ａは、抗菌剤２２ｃが出入できず、水の流出入が可能であれば、複数のスリット２２ｄ，２２ｄ，・・・でなく、複数の孔又はメッシュ等を設けてもよい。更に、上述した容器２２ａには、スリット２２ｄを設けているが、容器２２ａにはスリット２２ｄを設けなくてもよい。
【００３１】
図６は、加湿フィルタユニット２を支持する支持構造を示す一部破断正面図である。図６は、正面側から見た図であり、水受け皿４の一部を破断して示している。図６においては、加湿フィルタユニット２の保持枠２１のみを図示し、加湿フィルタ２０及び抗菌ケース２２の図示は省略している。また、給水タンク４１の図示も省略している。
【００３２】
図６に示すように、加湿フィルタユニット２は、水受け皿４の内部に差し込まれて、水受け皿４の内部に設けられた二つの支持ローラ４３，４３の上に、周方向へ回転可能に載置される。即ち、加湿フィルタユニット２は、水受け皿４上に縦姿勢で支持されている。支持ローラ４３，４３は、水受け皿４の底面上で、タンク受け４０の連設方向に離隔させて配置され、収容部２３の側壁部２３ｂの外周面に接している。
【００３３】
以上の如く支持された加湿フィルタユニット２は、図１に示すように、ハウジング１の一側部から水受け皿４と共に加湿装置外部に引き出すことができる。この後、加湿フィルタユニット２は上方に持ち上げられることによって水受け皿４から取り外される。逆に、加湿フィルタユニット２は、水受け皿４内部の支持ローラ４３，４３の上に載置することによって、縦姿勢に支持される。更に、この状態で水受け皿４と共にハウジング１内に押し込むことによって、加湿フィルタユニット２は、ハウジング１の内部の所定位置にセットされる。加湿フィルタユニット２の着脱は、加湿フィルタ２０の保守、交換、更には、水受け皿４内の清掃等のために実施される。また、加湿フィルタユニット２を取り外した際、保持枠２０から加湿フィルタ２０を取り出し、抗菌ケース２２を加湿フィルタ２０から取り外すことにより、抗菌剤２２ｃを交換することができる。
【００３４】
伝動機構５は、図２及び図６に示すように、加湿フィルタユニット２に対し、水受け皿４の反対側に配されている。伝動機構５は、基台５０の一面に取り付けられている伝動ギア５１及び駆動ギア５２と、基台５０の他面に取り付けた駆動モータ５３とを備え、基台５０を貫通する複数本の固定ねじ５４，５４，・・・によって、ハウジング１の内部の隔壁１１の適宜位置に固定されている。駆動ギア５２は、駆動モータ５３の出力軸に嵌着されており、駆動モータ５３の回転は、駆動ギア５２を介して伝動ギア５１に伝わり、この結果、伝動ギア５１が回転するように構成されている。
【００３５】
加湿フィルタユニット２の保持枠２０におけるリングギア部２３ｄは、伝動機構５の伝動ギア５１に噛合される。伝動機構５の伝動ギア５１とリングギア部２３ｄとの噛合は、加湿フィルタユニット２がハウジング１の内部の所定位置にセットされた状態で生じる。加湿フィルタユニット２は、伝動ギア５１とリングギア部２３ｄとの噛合によって、支持ローラ４３，４３及び伝動ギア５１夫々の位置、即ち周方向の異なる位置で、３点支持される。従って、加湿フィルタユニット２には、回転可能に支持される支軸を中心部に設ける必要がない。このため、保持枠２１の収容部２３及び押え部２４において、内部の加湿フィルタ２０を支える第２平板部２３ｆ，２４ｅ及び接続フレーム２３ｅ，２４ｂの大きさ及び量を低減し、略全面に開口を設けることができる。この結果、保持枠２１によって阻害されることなく多くの空気が加湿フィルタ２０を通過する。即ち、加湿性能の向上を図ることができる。
【００３６】
駆動モータ５３を駆動した場合、駆動ギア５２の回転が、伝動ギア５１及びリングギア部２３ｄを介して保持枠２１に伝わる。このとき、加湿フィルタ２０は、保持枠２１の中心周りに、即ち加湿フィルタ２０の周方向に回転する。
ところで、駆動モータ５３は、ＡＣモータを用いてなる。このため、駆動モータ５３への給電周波数が異なれば、駆動モータ５３の回転数、ひいては加湿フィルタユニット２の回転数も異なる。給電周波数が５０Ｈｚ（又は６０Ｈｚ）である場合、加湿フィルタユニット２は約８５秒（又は７０秒）で１回転する。
【００３７】
水受け皿４の内部には、前述の如く、一定水位Ｌの水が貯留されており、回転する保持枠２１の周縁部の一部は、水受け皿４の貯留水中に浸漬される。保持枠２１は、収容部２３及び押え部２４において開口を有しているため、加湿フィルタ２０の周縁部の一部が浸水する。これにより、加湿フィルタ２０は、水受け皿４から吸水する。
【００３８】
貯留水は加湿フィルタ２０に吸収され、更に、周縁部から中央部へ吸い上げられる。保持枠２１が周方向に連続的に回転すると、加湿フィルタ２０の周縁部は連続的に浸水及び吸水し、吸収された水は回転移動することによって持ち上げられる。以上の結果、水が加湿フィルタ２０全体に効率よく行きわたる。即ち、加湿フィルタ２０が回転することによって、加湿フィルタ２０の吸水が促進される。
【００３９】
このとき、抗菌ケース２２は、加湿フィルタ２０の周縁部、即ち加湿フィルタユニット２の周縁部に配されているので、加湿フィルタ２０の回転に伴って、間欠的に水受け皿４の貯留水内を移動する。貯留水内の移動中には、抗菌ケース２２には、スリット２２ｄから水が流出入し、抗菌剤２２ｄの抗菌成分が溶け出した水も同時に流出入する。これにより、水受け皿４内の水が抗菌される。抗菌ケース２２が、貯留水から出た後、抗菌ケース２２には、抗菌成分を含む水が残存しており、加湿フィルタユニット２が回転している間に外部に流れ出す。このとき、流れ出した水は、加湿フィルタ２０において水受け皿４側に向かって流れ落ち、加湿フィルタユニット２内全体に行きわたる。これにより、加湿フィルタユニット２全体、特に加湿フィルタ２０全体が抗菌される。
【００４０】
一方、ファンモータ６１の駆動により、前述したように、吸込室１２の内部に、背面側から正面側に向かう空気の流れが発生する。この空気は、保持枠２１の収容部２３の開口を経て保持枠２１の内部に導入され、保持枠２１に収納保持された加湿フィルタ２０を背面側から正面側に通過する。加湿フィルタ２０を通過した空気は、加湿フィルタ１に吸収されている水と接触することによって、気化水分を含む湿り空気となり、保持枠２１の押え部２４の開口を経て保持枠２１の外部へ導出される。これにより、加湿装置を設置した室内などが加湿される。
【００４１】
上記の構成によれば、加湿フィルタユニット２の回転に伴って、間欠的に水受け皿４の水が抗菌ケース２２に流出入する。加湿フィルタユニット２が回転し、抗菌ケース２２が水受け皿４の水に浸漬している場合、水内を移動するので、水受け皿４の水を十分に抗菌できる。また、抗菌ケース２２が水受け皿４に浸水していない場合、抗菌成分を含有する水が、流れ出して水受け皿４側に向かって流れ落ちることにより、加湿フィルタユニット２全体に行きわたる。したがって、加湿フィルタユニット２の抗菌を十分に行うことができる。
【００４２】
（変形例１）
図７は、変形例１に係る加湿フィルタ２０の斜視図である。変形例１においては、加湿フィルタ２０の構造が異なる。変形例１に係る加湿フィルタユニット２の構成について、実施の形態１と同様な構成については、同一の符号を付してその詳細な説明を省略する。
【００４３】
変形例１に係る加湿フィルタ２０には、周縁部において、凹部２０ａに代えて抗菌ケース２２を嵌め込む嵌込孔２０ｂが設けられている。加湿フィルタ２０に嵌込孔２０ｂ形成するだけであるので、加湿フィルタ２０の形成が容易であり、加湿フィルタ２０の加工精度を上げることができる。
【００４４】
（変形例２）
図８は、変形例２に係る加湿フィルタユニット２の分解斜視図である。変形例２においては、加湿フィルタユニット２の保持枠２１の構造が異なる。変形例２に係る加湿フィルタユニット２の構成について、実施の形態１と同様な構成については、同一の符号を付してその詳細な説明を省略する。
【００４５】
保持枠２１において、押え部２４の突出板２４ａにおける突出板２３ｃに対向する対向面には、円筒部２２ｅが該対向面に垂直に突設されている。円筒部２２ｅの一端部は、前記対向面により閉じられている。円筒部２２ｅには、抗菌剤２２ｃが収容される。実施の形態１の容器２２ａと同様に、円筒部２２ｅの周面には複数のスリットが設けられている。一方、収容部２３の突出板２３ｃにおける突出板２４ａに対向する対向面に、前記円筒部２２ｅの他端部を開閉する蓋部２２ｆが設けられている。突出板２３ｃ，２４ａ、円筒部２２ｅ、蓋部２２ｆは抗菌ケース２２を形成している。したがって、抗菌ケース２２を保持枠２１と一体に形成することができる。これにより、抗菌ケース２２のがたつきによる音を防止し、また、部品数を低減してコストの上昇を抑えることができる。
【００４６】
（変形例３）
図９は、変形例３に係る加湿フィルタユニット２の斜視図である。変形例３においては加湿フィルタユニット２の構造が異なる。変形例３に係る加湿フィルタユニット２の構成について、実施の形態１と同様な構成については、同一の符号を付してその詳細な説明を省略する。
【００４７】
変形例３においては、押え部２４の第１平板部２４ｄには、突出板２４ａが設けられていない。図９に示すように、押え部２４の第１平板部２４ｄには、外形が弓形状の平板であり、内周縁部の一部から中心に向けてフィルタ２０を覆う被覆体２５が設けられている。なお、被覆体２５は、弓形に限られず、他の形状であってもよい。押え部２４において、被覆体２５は、隣り合う二本の接続フレーム２４ｂ，２４ｂと一体に設けられており、該二本の接続フレーム２４ｂ，２４ｂの間隔よりも広い範囲でフィルタ２０を覆っている。図９においては、押え部２４側のみ示しているが、収容部２３の第１平板部２３ａにおいても同様に突出板２３ｃに代えて被覆体２５が設けられている。被覆体２５，２５はフィルタ２０を介して互いに対向するように設けられている。また、被覆体２５は、加湿フィルタユニット２を縦姿勢で水受け皿４に配した場合に、水位Ｌよりも高くなるように設けられている。したがって、被覆体２５が最も深く水受け皿４の水に浸漬している場合に、加湿フィルタ２０において対応する部分が浸水しない。即ち、収容部２３及び押え部２４において被覆体２５，２５が設けられた部分は、加湿フィルタ２０の周縁部の一部を覆う被覆部をなす。
【００４８】
被覆体２５には、装着孔２５ａが設けられており、装着孔２５ａには、抗菌ケース２２の端部が嵌め込まれている。ここで、加湿フィルタユニット２が回転している場合、被覆体２５，２５及び加湿フィルタ２０の隙間から水が入り込むので、抗菌ケース２２の抗菌剤２２ｃによる抗菌効果は担保される。
【００４９】
上記の構成によれば、加湿装置が停止している間において被覆体２５，２５が水受け皿４の水に浸漬するようにしておくことにより、加湿フィルタ２０の吸水を防止できる。したがって、加湿装置の運転中は抗菌ケース２２の抗菌剤２２ｃによる抗菌効果で、加湿フィルタ２０及び水受け皿４の水を十分に抗菌でき、かつ、加湿装置の停止時には、水を吸収しないので、加湿フィルタ２０における細菌及びカビ等の増殖を防止することができる。また、保持枠２１における被覆部に抗菌ケース２２を配しているので、スペースを無駄なく使用でき、加湿フィルタユニット２の回転において、加湿フィルタ２０の水の吸収量の低減を防止できる。
【００５０】
なお、被覆体２５，２５を設けるのではなく、被覆体２５，２５に相当する箇所において、加湿フィルタ２０をカットしておき、加湿フィルタ２０の吸水を防止してもよい。この場合、変形例２における図８の保持枠２１により加湿フィルタ２０を保持することにより、抗菌剤２２ｃにより水受け皿４の水の抗菌を行うことができる。また、被覆体２５，２５を設け、かつ加湿フィルタ２０を同様にカットしておいてもよい。この場合、装着孔２５ａと抗菌ケース２２ｃの間に隙間を設け、該隙間から水を流出入させて、抗菌を行うようにしてもよい。
【００５１】
（実施の形態２）
実施の形態２の加湿装置は、実施の形態１と抗菌ケースの構造が異なる。実施の形態２に係る加湿装置の構成について、実施の形態１と同様な構成については、同一の符号を付してその詳細な説明を省略する。
【００５２】
図１０は、実施の形態２に係る加湿フィルタユニット２の平面図であり、図１１は、同分解斜視図である。図１０は、加湿フィルタユニット２の縦姿勢における正面を示している。実施の形態２においては、抗菌ケース２６は、断面が矩形である環状をなしている。抗菌ケース２６は、例えば、環状をなし、正面側に凹溝が設けられた容器と、該容器を開閉する環状をなす平板の蓋とにより形成される。抗菌ケース２６は、加湿フィルタ２０に対して、軸心を同一として外嵌される。
【００５３】
図１２は、抗菌ケース２６の内部構造を略示する断面図である。抗菌ケース２６は、周方向において複数の部屋２６ａ，２６ａ，・・・に区切られている。加湿フィルタユニット２の縦姿勢において、抗菌ケース２６における正面には、孔２６ｂ，２６ｂ，・・・が各部屋２６ａに二つずつ対応して設けられている。二つの孔２６ｂ，２６ｂの一方は、他方よりも抗菌ケース２６の中心側に設けられている。背面にも同様に孔２６ｂ，２６ｂ，・・・が設けられている。各部屋２６ａは抗菌剤を収容する。各部屋２６ａには、孔２６ｂから、水が流出入する。なお、部屋２６ａには、孔２６ｂに代えてメッシュ又はスリット等を設けてもよい。
【００５４】
図１３は、部屋２６ａにおける水の流出入の説明図である。図１３中、点線部分は水位を示している。図１３中、Ａは一の部屋２６ａが最も深く水受け皿４の水に浸漬した状態、Ｂは、前記一の部屋２６ａが最も深く水受け皿４の水に浸漬した後、加湿フィルタユニット２が略９０度回転した状態を示す。また、Ｃは、前記一の部屋２６ａが最も深く水受け皿４の水に浸水した後、加湿フィルタユニット２が略１３５度回転した状態を示す。更に、Ｄは、前記一の部屋２６ａが最も深く水受け皿４の水に浸漬した後、加湿フィルタユニット２が１８０度回転した状態を示す。なお、図１３においては、抗菌剤２２ｃの図示は、省略している。
【００５５】
図１３のＡの状態において、前記一の部屋２６ａにおいて二つの孔２６ｂ，２６ｂから水が流出入し、所定量の水が部屋２６ａ内に貯められる。その後、図１３のＢ及びＣに示すように水が前記一の部屋２６ａから流出していき、図１３Ｄに示す状態となったとき、略全ての水が流出する。ここで、二つの孔２６ｂ，２６ｂの内、一方が他方よりも抗菌ケース２６の中心側に設けられていることにより、部屋２６ａ内の水をほぼすべて流出させることができる。これにより、各部屋２６ａ内の水をできるだけ流出させることができ、加湿フィルタ２０に吸収される水の量の減少を防止し、加湿量が減衰することを防止できる。
他の部屋２６ａにおいても同様に水の流出入が生じる。各部屋２６ａが、水受け皿４の水中を移動することにより、水受け皿４の水の抗菌が行われる。また、加湿フィルタユニット２の回転に伴って、各部屋２６ａから抗菌成分を含む水が水受け皿４側に流れ落ち、加湿フィルタユニット２全体に行きわたる。
【００５６】
上記の構成によれば、抗菌ケース２６が環状であり、内部が複数の部屋２６ａ，２６ａ，・・・に区切られているので、抗菌成分を含む水が流れ出す箇所が増加する。これにより、抗菌成分を含む水をより多く、また、より広く加湿フィルタ２０に行きわたらせることができる。また、抗菌ケース２６が加湿フィルタ２０に外嵌されているので、加湿フィルタ２０の外側から抗菌成分を含んだ水が流れ出し、該水を加湿フィルタ２０のより全体に行きわたらせることができる。なお、部屋２６ａの数は、図示の数に限られず、単一であっても、また、二つ以上であってもよい。部屋２６ａの数を増加することにより、水が流出する箇所を増加することができる。更に抗菌ケース２６は、断面が矩形の環状に限られず、例えば、断面が円形の環状であってもよい。また、抗菌ケース２６は、環状に限られず、弧状であってもよい。
【００５７】
（実施の形態３）
図１４は、実施の形態３に係る加湿フィルタユニット２の断面図である。実施の形態３においては、実施の形態２と抗菌ケース２６の大きさ及び配置が異なる。実施の形態３に係る加湿装置の構成について、実施の形態１及び実施の形態２と同様な構成については、同一の符号を付してその詳細な説明を省略する。
【００５８】
実施の形態３の抗菌ケース２６は、実施の形態２と同様の構造をなしている。ここで、実施の形態３に係る抗菌ケース２６の外径は、加湿フィルタ２０と略同寸である。また、抗菌ケース２６は、軸方向にて加湿フィルタ２０に重ねて保護枠２１内に収容されている。
【００５９】
抗菌ケース２２を加湿フィルタ２０に軸方向に重ねることにより、加湿フィルタユニット２全体の外寸を小さくして加湿装置を小型化し、かつ、各部屋２６ａから抗菌成分を流出させ、水を加湿フィルタ２０の全体に行きわたらせることができる。
【００６０】
本発明に係る加湿装置は、水を貯留する貯水部（４）と、吸水性及び通気性を有し、円盤状をなしており、周方向の回転により前記貯水部（４）の水に周縁部が連続的に浸漬するフィルタ部（２）と、水が流出入するように前記フィルタ部（２）の前記周縁部に設けられており、抗菌剤（２２ｃ）を収容する抗菌剤収容部（２２、２６）とを備えることを特徴とする。
【００６１】
本発明によれば、フィルタ部（２）の回転に伴って、貯水部（４）の水が抗菌剤収容部（２２、２６）に流出入する。抗菌剤収容部（２２、２６）が貯水部（４）の水に浸漬している場合、水内を移動するので、貯水部（４）の水を十分に抗菌できる。また、抗菌剤収容部（２２、２６）はフィルタ部（２）の周縁部にあるので、抗菌剤収容部（２２、２６）が貯水部（４）に浸水していない場合、抗菌成分を含有する水が貯水部（４）側に向かって流れ落ちることにより、フィルタ部（２）全体に行きわたる。したがって、フィルタ部（２）の抗菌を十分に行うことができる。
【００６２】
本発明に係る加湿装置は、前記フィルタ部（２）は、吸水性及び通気性を有し、円盤状をなすフィルタ本体（２０）と、該フィルタ本体（２０）を保持する保持枠とを有し、前記保持枠は、前記フィルタ本体（２０）の周縁部の一部を被覆する被覆部（２５，２５）を有し、前記抗菌剤収容部（２２）は、前記被覆部（２５，２５）に配されていることを特徴とする。
【００６３】
本発明によれば、加湿装置の停止している間、被覆部（２５，２５）が貯水部（４）の水に浸漬するようにしておいた場合、フィルタ本体（２０）は、貯水部（４）の水を吸水しないので、フィルタ本体（２０）における細菌及びカビ等の増殖を防止することができる。また、被覆部（２５，２５）に抗菌剤収容部（２２）を配しているので、スペースを無駄なく使用でき、フィルタ部（２）の回転において、フィルタ本体（２０）の水の吸収量の低減を防止できる。
【００６４】
本発明に係る加湿装置は、前記フィルタ部（２）は、吸水性及び通気性を有し、円盤状をなすフィルタ本体（２０）を有し、前記抗菌剤収容部（２６）は、環状又は弧状をなし、前記フィルタ本体（２０）に外嵌されていることを特徴とする。
【００６５】
本発明によれば、抗菌剤収容部（２６）が環状であるので、抗菌成分を流れ出す箇所を周方向に増加することができ、これにより、より抗菌成分を含む水をより多く、また、より広くフィルタ本体（２０）に行きわたらせることができる。フィルタ本体（２０）の外側から抗菌成分を含んだ水が流れ出すので、該水をよりフィルタ本体（２０）の全体に行きわたらせることができる。
【００６６】
本発明に係る加湿装置は、前記フィルタ部（２）は、吸水性及び通気性を有し、円盤状をなすフィルタ本体（２０）を有し、前記抗菌剤収容部（２２）は、環状又は弧状をなし、前記フィルタ本体（２０）に軸方向に重なっていることを特徴とする。
【００６７】
本発明によれば、抗菌剤収容部（２２）を前記フィルタ本体（２０）に軸方向に重ねることにより、フィルタ部（２）の外寸を小さくして加湿装置を小型化し、かつ、抗菌成分を流れ出す箇所を周方向に増加させて抗菌成分を含んだ水をよりフィルタ本体（２０）の全体に行きわたらせることができる。
【００６８】
本発明に係る加湿装置は、前記抗菌剤収容部（２６）は、周方向に複数の部屋（２６ａ）に区切られており、該部屋（２６ａ）ごとに水が流出入することを特徴とする。
【００６９】
本発明によれば、複数の部屋（２６ａ）ごとに貯水部（４）に浸水するので、各部屋（２６ａ）に抗菌剤（２２ｃ）を収容することができる、これにより、抗菌成分を含む水が流れ出す箇所が増加し、フィルタ本体（２０）の抗菌をより十分にできる。
【００７０】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００７１】
２  加湿フィルタユニット（フィルタ部）
４  水受け皿（貯水部）
２０  加湿フィルタ（フィルタ本体）
２２、２６  抗菌ケース（抗菌剤収容部）
２２ｃ  抗菌剤
２５  被覆体（防水部）
２６ａ  部屋
【図１】
2017058039.tif 000003
【図２】
2017058039.tif 000004
【図３】
2017058039.tif 000005
【図４】
2017058039.tif 000006
【図５】
2017058039.tif 000007
【図６】
2017058039.tif 000008
【図７】
2017058039.tif 000009
【図８】
2017058039.tif 000010
【図９】
2017058039.tif 000011
【図１０】
2017058039.tif 000012
【図１１】
2017058039.tif 000013
【図１２】
2017058039.tif 000014
【図１３】
2017058039.tif 000015
【図１４】
2017058039.tif 000016